【事件の表示】
　特願２０１１−５３０４３１「センサシステムのための制御装置、センサシステム、およびセンサシステムにおける信号を伝送するための方法」拒絶査定不服審判事件〔平成２２年　４月１５日国際公開、ＷＯ２０１０／０４０５８７、平成２４年　３月　１日国内公表、特表２０１２−５０５３８９〕について、次のとおり審決する。
【結　論】
　本件審判の請求は、成り立たない。
【理　由】
第１　手続の経緯
　この審判事件に係る特許出願（以下、「本願」という。）は、２００９年（平成２１年）８月１３日（パリ条約による優先権主張外国庁受理２００８年（平成２０年）１０月７日、独国）を国際出願日とする出願であって、その手続の経緯の概略は以下のとおりである。
　　　平成２３年　４月　７日　　：翻訳文提出
　　　平成２６年　２月２５日付け：拒絶理由の通知（同年３月３日発送）
　　　平成２６年　４月１０日　　：意見書、手続補正書の提出
　　　平成２６年１１月１４日付け：拒絶査定（同年１１月２５日送達）
　　　平成２７年　１月　６日　　：審判請求書、手続補正書の提出
　　　平成２７年　３月２７日　　：前置報告
第２　補正却下の決定
［補正却下の決定の結論］
　平成２７年１月６日に提出された手続補正書による補正（以下、「本件補正」という。）を却下する。
［理由］
１　本件補正について
（１）本件補正後の特許請求の範囲の記載
　本件補正により、特許請求の範囲の請求項１の記載は、次のとおり補正された。（下線部は補正箇所である。）
「　センサシステム（１）のための制御装置（２）において、
　前記制御装置（２）は少なくとも接続装置（９）および電流制限回路（１０）を有しており、
　前記接続装置（９）は、電流インターフェースとして少なくとも２つの線路（４ａ，４ｂ）を備えるデータ接続部（４）を少なくとも１つのセンサ（３）に接続し、
　前記接続装置（９）は、前記センサ（３）から前記データ接続部（４）を介して、インターフェース電流（Ｉ）の電流変調によって形成された信号（１４）を受信し、
　前記電流制限回路（１０）は、前記データ接続部（４）の少なくとも１つの線路（４ａ，４ｂ）での短絡時に、短絡電流（Ｉ＿２，Ｉ＿３）を制限し、
　前記電流制限回路（１０）は、前記短絡電流（Ｉ＿２，Ｉ＿３）を時間によって変化して制限し、
　前記電流制限回路（１０）は、短絡時に前記インターフェース電流（Ｉ）を、第１の期間（ｔ１−ｔ０）においては上側の短絡電流値（Ｉ＿２）に制限し、前記第１の期間（ｔ１−ｔ０）の後には下側の短絡電流値（Ｉ＿３）に制限し、
　前記下側の短絡電流値（Ｉ＿３）は、前記上側の短絡電流値（Ｉ＿２）より小さく、センサ定常時電流（Ｉ＿０）よりも大きく、
　前記信号（１４）はデジタルであり、前記第１の期間（ｔ１−ｔ０）は、前記信号（１４）の信号幅（Δｔ）の
少なくとも１０倍
ことを特徴とする制御装置。」
（２）本件補正前の特許請求の範囲の記載
　本件補正前の、平成２６年４月１０日の手続補正による特許請求の範囲の請求項１の記載は次のとおりである。
「　センサシステム（１）のための制御装置（２）において、
　前記制御装置（２）は少なくとも接続装置（９）および電流制限回路（１０）を有しており、
　前記接続装置（９）は、電流インターフェースとして少なくとも２つの線路（４ａ，４ｂ）を備えるデータ接続部（４）を少なくとも１つのセンサ（３）に接続し、
　前記接続装置（９）は、前記センサ（３）から前記データ接続部（４）を介して、インターフェース電流（Ｉ）の電流変調によって形成された信号（１４）を受信し、
　前記電流制限回路（１０）は、前記データ接続部（４）の少なくとも１つの線路（４ａ，４ｂ）での短絡時に、短絡電流（Ｉ＿２，Ｉ＿３）を制限し、
　前記電流制限回路（１０）は、前記短絡電流（Ｉ＿２，Ｉ＿３）を時間によって変化して制限し、
　前記電流制限回路（１０）は、短絡時に前記インターフェース電流（Ｉ）を、第１の期間（ｔ１−ｔ０）においては上側の短絡電流値（Ｉ＿２）に制限し、前記第１の期間（ｔ１−ｔ０）の後には下側の短絡電流値（Ｉ＿３）に制限し、
　前記下側の短絡電流値（Ｉ＿３）は、前記上側の短絡電流値（Ｉ＿２）より小さく、センサ定常時電流（Ｉ＿０）よりも大きく、
　前記信号（１４）はデジタルであり、前記第１の期間（ｔ１−ｔ０）は、前記信号（１４）の信号幅（Δｔ）の数倍である、
ことを特徴とする制御装置。」
（３）本件補正の目的
　「前記第１の期間（ｔ１−ｔ０）は、前記信号（１４）の信号幅（Δｔ）の数倍である、」を「前記第１の期間（ｔ１−ｔ０）は、前記信号（１４）の信号幅（Δｔ）の
少なくとも１０倍
２　本件補正発明の独立特許要件についての検討
　そこで、本件補正後の請求項１に記載されている事項により特定される発明（以下「本件補正発明」という。）が特許出願の際独立して特許を受けることができるものであるかについて以下に検討する。
（１）本件補正発明
　本件補正発明は、上記１（１）に記載したとおりのものである。
（２）引用文献の記載事項
ア　引用文献１
（ア）記載事項
　原査定の拒絶の理由で引用された、本願のパリ条約による優先権主張の基礎となる出願の出願日（以下、「優先日」という。）前に頒布された刊行物である、米国特許出願公開第２００７／０００８６７１号明細書（平成１９年１月１１日公開。以下、「引用文献１」という。）には、図面とともに、次の記載がある（下線は、当審が付した。）。原文の引用の後に日本語訳（当審訳）を記載する。
ａ「[0001] The invention relates to a driver and receiver circuit for a remotely arranged circuit and a method for monitoring a line connection between a driver and receiver circuit and a remotely arranged circuit.」
（本発明は、遠隔配置された回路のためのドライバ及びレシーバ回路と、ドライバ及びレシーバ回路と遠隔配置された回路との間の配線接続を監視するための方法に関する。）
ｂ「[0002] Driver and receiver circuits for a remotely arranged circuit are sufficiently known and serve for example for supplying voltage to remotely arranged sensors and for receiving sensor signals from such sensors.」
（[0002]　遠隔配置された回路のドライバ及びレシーバ回路は、十分に知られており、例えば、遠隔配置されたセンサに電圧を供給し、また、このようなセンサからセンサ信号を受信する働きをする。）
ｃ「[0003] In order to afford a better understanding, the basic construction of such a driver and receiver circuit and its interconnection with a remotely arranged circuit, which is referred to hereinafter as“satellite circuit”, are explained with reference to  FIG. 1.
[0004] In  FIG. 1, the driver and receiver circuit is designated by the reference symbol  10  and the satellite circuit is designated by the reference symbol 20. 
The driver and receiver circuit 10 has output terminals 101, 102 for connecting a line connection 30. 
[0005] The driver and receiver circuit 10 makes a supply voltage Vbias available via the connecting terminals 101, 102 at the line connection 30 by means of a voltage source 13. 
By means of a current measuring arrangement 12, the driver and receiver circuit 10 additionally determines a current Iout flowing via the terminals 101, 102
[0006] 
The satellite circuit 20 is connected to the line connection 30
and is designed to modulate the current flowing via the line connection 30 such that it assumes a first or a second current value.
[0007] An internal supply voltage Vint of the satellite circuit 20 is generated from the voltage Vbias present at the line connection 30 by a voltage supply circuit 25. 
[0008] FIG. 2 shows by way of example the temporal profile of the current Iout flowing via the line connection 30. During disturbance-free operation, said current assumes two current values, a first current value I1 corresponding to the current supplied by the first current source 21, and a second current value I2 corresponding to the sum of the currents supplied by the two current sources 21, 22 of the satellite circuit 20. 
The current Iout flowing via the line connection 30 represents a coded
 signal.
[0009] The receiver circuit 10 is designed to demodulate and, if appropriate, decode the information contained in the current signal Iout and to generate a control signal S10, which may be for example a firing signal for an occupant protection system of a motor vehicle. 
[0010] An erroneous operating state can occur in the case of such a receiver circuit when 
a short circuit occurs between the connecting terminals 101, 102, as is illustrated by the reference symbol 42 in FIG. 1
a short circuit between the line connection 30 and a terminal for a supply potential Vs
（[0003]　より良好な理解を提供するために、このようなドライバ及びレシーバ回路の基本構成及び遠隔配置された回路（以下、「サテライト回路」という。）とそれとの相互接続は、後述する図１を用いて説明する。
[0004]　図１において、ドライバ及びレシーバ回路は参照符号10で、サテライト回路は参照符号20で示されている。
ドライバ及びレシーバ回路10は、配線接続30を接続するための出力端子101、102を有している。
[0005]　ドライバ及びレシーバ回路10は、配線接続30の接続端子101、102を介して利用可能な電源電圧Vbiasを電圧源13によって生成する。
ドライバ及びレシーバ回路10は、さらに、電流測定装置12によって、端子101、102を介して流れる電流Ioutを決定し、
[0006]　一方、端子201、202を介して
配線接続30に接続されるサテライト回路20は、配線接続30を介して流れる電流が、第１又は第２の電流値となるよう変調するように設計されている。
[0007]　サテライト回路20の内部電源電圧Vintは、電圧供給回路25によって配線接続30の電圧Vbiasから生成される。
[0008]　図２は配線接続30を介して流れる電流Ioutの時間プロファイルの一例を示している。障害なく動作している間は、前記電流は二つの電流値をとる。すなわち、第１電流源21が供給する電流に対応する第１電流値I1と、サテライト回路20の二つの電流源21、22によって供給される電流の和に対応する第２電流値I2である。
配線接続30を介して流れる電流Ioutは、符号化された
信号を表している。
[0009]　レシーバ回路10は、復調し、もし適切であるならば、電流信号Ioutに含まれる情報を復号し、制御信号S10を生成するように設計されている。制御信号S10は、例えば自動車の乗員保護システムのための点火信号である。
[0010]　
接続端子101、102間の短絡（図１に参照符号42で示す）が発生
配線接続30と電源電位Vsの端子との短絡
ｄ「[0037] 
FIG. 3 shows a first exemplary embodiment of a driver and receiver circuit according to the invention.
[0038] A current measuring arrangement 12 is connected between the voltage source 13 serving as voltage supply arrangement and one of the connecting terminals 101. 
This current measuring arrangement 12 has the task of detecting an output current Iout
[0039] The control and evaluation circuit 14 may be a conventional control and evaluation circuit which, for example, is designed to demodulate data information modulated on the output current Iout or the current measurement signal V12 and to convert it into the output signal DOUT. The control and evaluation circuit 14 additionally makes the control signal LEN available, according to which the voltage source 13 is activated and deactivated. 
[0040] 
The driver and receiver circuit has a monitoring circuit 15
The monitoring circuit 15 is designed to generate a level of the error signal S15 indicating an error when the current measurement signal V12 has a value indicating that the output current Iout lies above a predetermined threshold value for longer than a predetermined first time duration.
[0041] In order to be able to identify an erroneous operating state as rapidly as possible, the first time duration is as short as possible. In this embodiment, 
the first time duration is
 longer than a data block period
Td
（[0037]　
図３は、本発明に係るドライバ及びレシーバ回路の第１の実施形態を示す。
[0038]　電流測定装置12は、電圧供給装置としての電圧源13と接続端子101のひとつとの間に接続されている。
この電流測定装置12は、
出力電流Ioutを検出
する役割を担っている。
[0039]　制御及び評価回路14は、従来の制御及び評価回路であってよく、例えば、出力電流Iout又は電流測定信号V12に変調されたデータ情報を復調し、出力信号DOUTに変換するように設計されている。制御及び評価回路14は、さらに、電圧源13を活性化及び非活性化するための制御信号LENを利用可能にする。
[0040]　
ドライバ及びレシーバ回路は、
監視回路15を有している。
監視回路15は、電流測定信号V12が、出力電流Ioutが所定の第1の期間より長い間、所定のしきい値より上にあることを示す値を有する場合に、エラーを示すエラー信号S15のレベルを発生するように設計されている。
[0041]　できるだけ迅速に誤作動状態を識別できるようにするため、第１の期間はできるだけ短くする。また、本実施形態では、
第１の期間は、
データブロック期間
Td
よりも長い。
ｅ「[0049] （中略）In this connection, a high level of the error signal S15 indicates an error-free operating state. 
[0050] The flip-flop 158 is reset by means of a high level of the counter signal S157, as a result of which the error signal S15 assumes a low level, which in this case indicates an erroneous operating state.」
（[0049]　（中略）これに関して、エラー信号S15のハイレベルは、エラーのない動作状態を示している。
[0050]　フリップフロップ158は、カウンタ信号S157のハイレベルによりリセットされ、その結果、エラー信号S15は、ここでは誤った動作状態を示すローレベルである。）
ｆ「[0051] The temporal profile of the output current Iout and the temporal profile of the current measurement signal V12 proportional to said output current Iout are plotted by way of example in FIG. 6. It is assumed in the example illustrated that an error-free state is present up to an instant T1（当審注、「T1」は「t1」の誤記と思われる。）, so that, up to said instant t1, 
the output current Iout is switched back and forth between a lower current level I1 and an upper current level I2 in a manner modulated by a satellite circuit.
At the instant t1 an error occurs, as a result of which the output current Iout rises permanently to a value lying above the upper current level I2.
such an error may occur
 by virtue of the connecting terminals 101, 102 of the driver and receiver circuit 10 being short-circuited.
The output current Iout is limited to an upper limit value I_lim
in such a case by means of a current limiting circuit, the current limiting circuit being designated by the reference symbol 16 in FIG. 3.
[0052] In the example, the reference value Vref with which the voltage measurement signal is compared is greater than the second current measurement signal level V2. The current measurement signal V12 reaches said reference level Vref at an instant t2.」
（[0051]　出力電流Ioutの時間プロファイルと前記出力電流Ioutに比例した電流測定信号12の時間プロファイルは、図６に一例としてプロットされている。図示の例では、T1までエラーの無い状態であるから、そのt1までは、
出力電流Ioutは、サテライト回路の変調により、低電流レベルI1、高電流レベルI2との間で切り替えられる。
t1においてエラーが発生すると、出力電流Ioutが高電流レベルI2よりも大きい値に永続的に上昇することになる。
このようなエラーは、
短絡しているドライバ及びレシーバ回路10の接続端子101、102により生じる可能性がある。このようなケースでは、出力電流Ioutは、電流制限回路により、上限値I_limに制限される。この電流制限回路は、図３において参照符号16で指定されている。
[0052]　この例では、電圧測定信号と比較される基準値Vrefは、第２の電流測定信号レベルV2よりも大きい。電流測定信号V12はt2において前記基準レベルVrefに到達する。）
ｇ「[0053] In this example, 
the first time duration T1
（[0053]　この例では、
第１の期間T1
（イ）引用文献１に記載された技術事項
ａ　[0037]の記載から、図３はドライバ及びレシーバ回路を示していることが分かる。
　また、[0004]の記載から、ドライバ及びレシーバ回路10が出力端子101、102を有していることが分かる。
　さらに、[0005]の記載から、ドライバ及びレシーバ回路10が電流測定装置12を有していることが分かる。
　また、[0051]の記載から、電流制限回路は、図３において参照符号16で指定されていることが分かる。
　以上のことから、「ドライバ及びレシーバ回路10は少なくとも出力端子101、102、電流測定装置12および電流制限回路16を有している。」という技術事項が読み取れる。
ｂ　[0004]の記載から、出力端子101、102は、配線接続30を接続するためものであることが分かる。
　次に、[0006]の記載から、サテライト回路20が配線接続30に接続されていることが分かる。
　また、FIG 1から、配線接続30が２つの線路を備えることが分かる。
　以上のことから、「出力端子101、102は、２つの線路を備える配線接続30をサテライト回路20に接続する。」という技術事項が読み取れる。
ｃ　[0006]や[0051]の記載から、サテライト回路20は、配線接続30を介して流れる電流Ioutが、低電流レベルI1又は高電流レベルI2となるよう変調することが分かる。
　次に、[0008]及び[0038]の記載から、配線接続30を介して流れる電流Ioutは、符号化された信号を表しており、電流測定装置12によって検出されることが分かる。
　以上のことから、「電流測定装置12は、サテライト回路20によって低電流レベルI1又は高電流レベルI2となるよう変調され符号化された信号を表す、配線接続30を介して流れる電流Ioutを検出する。」という技術事項が読み取れる。
ｄ　[0051]の記載から、t1においてエラーが発生すると、出力電流Ioutが高電流レベルI2よりも大きい値に永続的に上昇することになることが分かる。
　また、このようなエラーが、短絡しているドライバ及びレシーバ回路10の接続端子101、102により生じる可能性があることが分かる。
　さらに、このようなケースでは、出力電流Ioutが、電流制限回路16により、上限値I_limに制限されることが分かる。
　ここで、[0010]の記載及びFIG 1を参照すると、短絡しているドライバ及びレシーバ回路10の接続端子101、102により生じるエラーは、配線接続30間の短絡や、配線接続30と電源電位Vsの端子との短絡により生じることが分かる。
　以上のことから、「電流制限回路16は、配線接続30での短絡時に、電流Ioutを上限値I_limに制限する。」という技術事項が読み取れる。
ｅ　[0040]及び[0053]の記載から、ドライバ及びレシーバ回路が有する監視回路15は、電流測定信号V12が、出力電流Ioutが第1の期間T1より長い間、所定のしきい値より上にあることを示す値を有する場合に、エラーを示すエラー信号S15のレベルを発生することが分かる。
　このことから、「ドライバ及びレシーバ回路10は、電流Ioutが第1の期間T1より長い間、所定のしきい値より上にある場合に、エラーを示す。」という技術事項が読み取れる。
ｆ　[0041]及び[0053]の記載から、「第１の期間T1は、データブロック期間Tdよりも長い。」という技術事項が読み取れる。
（ウ）引用発明１
　以上、技術事項ａないしｆを総合すると、引用文献１には、次の発明（以下、「引用発明１」という。）が記載されていると認められる。
「　ドライバ及びレシーバ回路10において、
　前記ドライバ及びレシーバ回路10は少なくとも出力端子101、102、電流測定装置12および電流制限回路16を有しており、
　前記出力端子101、102は、２つの線路を備える配線接続30をサテライト回路20に接続し、
　電流測定装置12は、サテライト回路20によって低電流レベルI1又は高電流レベルI2となるよう変調され符号化された信号を表す、配線接続30を介して流れる電流Ioutを検出し、
　前記電流制限回路16は、配線接続30での短絡時に、電流Ioutを上限値I_limに制限し、
　前記ドライバ及びレシーバ回路10は、前記電流Ioutが第１の期間T1より長い間、所定のしきい値より上にある場合に、エラーを示し、
　前記第１の期間T1は、データブロック期間Tdよりも長い、
ことを特徴とするドライバ及びレシーバ回路。」
イ　引用文献２
（ア）記載事項
　原査定の拒絶の理由で引用された、本願の優先日前に頒布された刊行物である、特開２００１−３９２６３号公報（平成１３年２月１３日出願公開。以下、「引用文献２」という。）には、図面とともに、次の記載がある（下線は、当審が付した。）。
ａ「【０００１】
【発明の属する技術分野】本発明は乗員保護装置用制御装置に関するものであり、特に、電源回路の保護に関するものである。」
ｂ「【０００６】
【発明の実施の形態】以下、本発明をエアバッグ装置用制御装置に適用した場合を例に取り、図面に基づいて詳細に説明する。図１に、乗員保護装置たるエアバッグ装置１０およびエアバッグ装置用制御装置１２を概略的に示す。エアバッグ装置用制御装置１２は、中央装置１４，サテライト装置１６，通信装置１８，電流検出器２０および電流供給抑制装置２２を含む。
【０００７】
中央装置１４は、
電源回路２６
を含む。
ｃ「【０００９】通信装置１８は、電流検知回路４４，送信回路４６および受信回路４８を含む。
電流検知回路４４および受信回路４８は中央装置１４と共に設けられ、
通信装置１８は中央装置１４とサテライト装置１６との間の電流通信を行う。
【００１０】電流検出器２０は、過大電流検知回路５０を含み、中央装置１４と共に設けられており、出力信号をマイコン２８に供給する。電流供給抑制装置２２は保護回路５２を含み、中央装置１４と共に設けられている。保護回路５２はマイコン２８により制御され、後述するように、電源回路２６の電流が過大なとき、サテライト装置１６への電流供給を遮断して電源回路２６を保護する。
【００１１】
サテライト装置１６は、
２つ設けられ、
各サテライト装置１６は、
電源線６２および接地線６４によって中央装置１４に
接続されている。
【００１２】電源回路２６には、電源線６２により、前記電源回路２６から電流が供給され、マイコン５８およびＧセンサ６０は電源回路５６の電流により作動する。Ｇセンサ６０は、本実施形態においては減速度センサにより構成されており、車両の衝突時にサテライト装置１６に加えられる衝撃を減速度により検知する。前記通信装置１８の送信回路４６は、マイコン５８により制御される。
【００１３】電源回路２６，電流検出器２０，電流供給抑制装置２２，受信回路４８，送信回路４６を図２に基づいて詳細に説明する。送信回路４６は、スイッチング素子６８を備えている。スイッチング素子６８は、例えば、電界効果トランジスタによって構成されており、スイッチング動作により、
中央装置１４から電源線６２によって供給される電流
サテライト装置１６に供給される電流
通常の供給電流
を作動電流と称し、電流通信のために増大させられた電流を通信実行電流と称する。
【００１４】
この供給電流の増減が電流検知回路４４および受信回路４８によって検知され、サテライト装置１６からの情報が受信される。
【００１５】比較回路７４は、通信検知電圧と入力電圧とを比較し、その出力は反転回路７６により反転されて出力端子８４からマイコン２８へ出力される。供給電流が通信検知電流より大きく、入力電圧が通信検知電圧より大きければ、ロー信号が出力され、通信検知電圧以下であればハイ信号が出力される。出力端子８４からの信号の変化により、マイコン２８において電流通信の有無がわかるとともに、サテライト装置１６のＧセンサ６０の検出値が伝達される。サテライト装置１６のマイコン５８において、Ｇセンサ６０の検出値に基づいてエアバッグ装置１０を作動させるほどの衝撃が加えられたか否かを判定し、その判定結果をマイコン２８に伝達するようにしてもよい。
【００１６】ミラー回路７８からの電流はまた、分けられて、その電流により得られる電圧が出力端子８６からマイコン２８へ出力される。マイコン２８において、供給電流の大きさがわかるようにされているのであり、電流検知回路４４の電流に基づく電圧をマイコン２８へ出力する部分が過大電流検知回路５０を構成し、電流検知回路４４と共に電流検出器２０を構成している。電流検出器２０は、通信装置１８と電流検知回路４４を共用しているのである。
【００１７】
電源回路２６は、定電流回路９６を有する。
制限電流は、
前記通信実行電流と同じ大きさとされており、最大電流より小さく、
ｄ「【００１９】次に、作動を説明する。イグニッションスイッチ３６がＯＮにされれば、中央装置１４の電源回路２６に電流が供給されるとともに、電源線６２によりサテライト装置１６に電流が供給される。そして、衝突等により車両に衝撃が加えられれば、マイコン５８は送信回路４６を制御してＧセンサ６０の検出値をマイコン２８へ伝達する。スイッチング素子６８を導通状態と遮断状態とに切り換え、図４に示すように、サテライト装置１６への供給電流を増減させるのである。供給電流の増減は受信回路４８により検知され、Ｇセンサ６０の検出値がマイコン２８に伝達される。
【００２０】車両に加えられた衝撃等により
電源線６２
短絡等が生ずれば、
供給電流が増大し、定電流回路９６により最大電流に制限される。供給電流が最大電流である状態が設定時間である第１設定時間ｔ1以上継続すれば、定電流回路９６は供給電流を制限電流まで減少させ、電源回路２６の過熱を遅らせつつ、
供給電流が最大電流に制限される状態がノイズによって生じたのであれば、その状態が第１設定時間ｔ1 以上継続することはなく、
【００２１】マイコン２８は、過大電流検知回路５０からの出力に基づいて供給電流および定電流回路９６の作動を監視し、供給電流が制限電流まで減少させられる状態が設定時間続けば電流供給の遮断を行う。以下、供給電流が過大である場合のマイコン２８の作動を図３を用いて説明する。
【００２２】マイコン２８においては、電源投入と同時に電源回路保護ルーチンが実行されており、ステップ１（以下、Ｓ１と略記する。）においては、フラグがセットされているか否かの判定が行われる。フラグはＲＡＭに設けられており、初期設定においてリセットされている。そのため、Ｓ１の判定結果はＮＯになってＳ２が実行され、供給電流が電流過大検知電流より大きいか否かの判定が行われる。電流過大検知電流は、最大電流より小さく、制限電流より大きく設定されており、供給電流が電流過大検知電流より大きいか否かを検出することにより、定電流回路９６において供給電流が最大電流に制限されて設定電流になっているか否かを検出する。マイコン２８は過大電流検知回路５０からの入力により、供給電流の大きさがわかり、Ｓ２の判定はその入力に基づいて行われる。供給電流が電流過大検知電流以下であれば、Ｓ２の判定結果はＮＯになり、ルーチンの実行は終了する。
【００２３】供給電流が電流過大検知電流より大きくなれば、Ｓ２の判定結果がＹＥＳになってＳ３が実行され、供給電流が過大な状態が設定時間ｔ1 ´続いたか否かの判定が行われる。設定時間ｔ1 ´は、前記第１設定時間ｔ1 より長く、第１設定時間ｔ1 の経過を確実に検出し得る長さに設定されている。設定時間ｔ1 ´は、定電流回路９６の作動監視時間であると考えることができる。Ｓ３の判定結果は当初はＮＯであり、ルーチンの実行は終了する。供給電流が電流過大検知電流以下になることなく、設定時間ｔ1 ´が経過すれば、Ｓ３の判定結果はＹＥＳになってＳ４が実行され、フラグがセットされる。供給電流が最大電流である状態が第１設定時間ｔ1 続き、定電流回路９６により供給電流が減少させられることが記憶されるのである。」
（イ）引用文献２に記載された技術事項
ａ　段落０００７の記載から、中央装置１４は、電源回路２６を含むことが分かる。
　また、段落００１７の記載から、電源回路２６は、定電流回路９６を有することが分かる。
　以上により、「中央装置１４は定電流回路９６を有している。」という技術事項が読み取れる。
ｂ　段落００１１の記載から、「２つのサテライト装置１６が、電源線６２および接地線６４によって中央装置１４に接続されている。」という技術事項が読み取れる。
ｃ　段落００１３、及び、段落００１４の記載から、中央装置１４から電源線６２によってサテライト装置１６に供給される供給電流の増減が電流検知回路４４および受信回路４８によって検知され、サテライト装置１６からの情報が受信されることが分かる。
　段落０００９の記載から、電流検知回路４４および受信回路４８は中央装置１４と共に設けられること、及び、中央装置１４とサテライト装置１６との間で電流通信が行われることが分かる。
　以上のことから、「中央装置１４は、中央装置１４から電源線６２によってサテライト装置１６に供給される供給電流の増減を検知して、サテライト装置１６からの情報を受信する。」という技術事項が読み取れる。
ｄ　段落００２０の記載から、定電流回路９６は、電源線６２に短絡が生ずれば、供給電流を最大電流に制限し、供給電流が最大電流である状態が第１設定時間ｔ1以上継続すれば、供給電流を制限電流まで減少させ、電源回路２６の過熱を遅らせることが分かる。
　換言すれば、「定電流回路９６は、短絡時に供給電流を、第１設定時間ｔ1においては最大電流に制限し、第１設定時間ｔ1の後には制限電流に制限することで、電源回路２６の過熱を遅らせる。」という技術事項が読み取れる。
ｅ　上記ｄから、短絡時の供給電流への制限が、時間によって変化することになるのは明らかである。
　よって、「定電流回路９６は、電源線６２の短絡時の供給電流を時間によって変化して制限する。」という技術事項が読み取れる。
ｆ　段落００１７の記載から、制限電流は、最大電流より小さく、通信実行電流と同じ大きさであることが分かる。
　また、段落００１３の記載から、通常の供給電流を作動電流と称し、電流通信のために増大させられた電流を通信実行電流と称することが分かる。これは、通信実行電流が差動電流よりも大きいことを意味する。
　以上のことから、「制限電流は、最大電流より小さく、差動電流よりも大きい。」という技術事項が読み取れる。
ｇ　段落００２０の記載から、定電流回路９６は、供給電流を最大電流に制限し、供給電流が最大電流である状態が第１設定時間ｔ1以上継続すれば、供給電流を制限電流まで減少させ、電源回路２６の過熱を遅らせること、及び、供給電流が最大電流である状態がノイズによって生じたのであれば、その状態が第１設定時間ｔ1 以上継続することはないことが分かる。
　換言すれば、定電流回路９６は、供給電流が最大電流である状態から制限電流まで減少させるまでに、第１設定時間ｔ1だけ待つことになる。そして、第１設定時間ｔ1だけ待つのは、「供給電流が最大電流である状態」がノイズではなく電源線６２の短絡によって生じたことを確認するためであることは、当業者にとって明らかである。
　以上のことから、「定電流回路９６は、供給電流を最大電流に制限し、電源線６２の短絡が確認された場合に、供給電流を制限電流まで減少させ、電源回路２６の過熱を遅らせる。」という技術事項が読み取れる。
（ウ）引用発明２−１
　上記技術事項ａないしｃ、ｆ及びｇを総合すると、引用文献２には、次の発明（以下、「引用発明２−１」という。）が記載されていると認められる。
「　中央装置１４において、
　前記中央装置１４は定電流回路９６を有しており、
　２つのサテライト装置１６が、電源線６２および接地線６４によって前記中央装置１４に接続されており、
　前記中央装置１４は、前記中央装置１４から前記電源線６２によって前記サテライト装置１６に供給される供給電流の増減を検知して、前記サテライト装置１６からの情報を受信し、
　前記定電流回路９６は、前記供給電流を最大電流に制限し、前記電源線６２の短絡が確認された場合に、前記供給電流を制限電流まで減少させ、電源回路２６の過熱を遅らせ、
　前記制限電流は、前記最大電流より小さく、作動電流よりも大きい、
ことを特徴とする中央装置。」
（エ）引用発明２−２
　また、上記技術事項ａないしｆを総合すると、引用文献２には、次の発明（以下、「引用発明２−２」という。）が記載されていると認められる。
「　中央装置１４において、
　前記中央装置１４は定電流回路９６を有しており、
　２つのサテライト装置１６が、電源線６２および接地線６４によって前記中央装置１４に接続されており、
　前記中央装置１４は、前記中央装置１４から前記電源線６２によって前記サテライト装置１６に供給される供給電流の増減を検知して、前記サテライト装置１６からの情報を受信し、
　前記定電流回路９６は、前記電源線６２の短絡時の前記供給電流を時間によって変化して制限し、
　前記定電流回路９６は、短絡時に前記供給電流を、第１設定時間ｔ1においては前記最大電流に制限し、前記第１設定時間ｔ1の後には前記制限電流に制限することで、電源回路２６の過熱を遅らせ、
　前記制限電流は、前記最大電流より小さく、作動電流よりも大きい、
ことを特徴とする中央装置。」
（３）引用発明との対比
ア　本件補正発明と引用発明１とを対比する。
（ア）本願明細書の段落００１３の記載を参照すると、本件補正発明における「センサ（３）」は、センサエレメント５を有し、測定結果に依存してセンサ信号を変調するものである。
　一方、引用文献１の[0006]及び[0008]の記載を参照すると、サテライト回路20はセンサ26を備えており、センサ信号S26に基づき電流信号を変調するものである。
　よって、引用発明１の「サテライト回路20」は、本件補正発明の（少なくとも１つの）「センサ（３）」に相当する。
（イ）引用文献１の[0009]の記載を参照すると、ドライバ及びレシーバ回路10は、自動車の乗員保護システムのための制御信号を生成している。また、[0037]及び[0039]の記載を参照すると、ドライバ及びレシーバ回路10は制御及び評価回路14を有しており、これによって電圧源13を制御している。つまり、引用発明１におけるドライバ及びレシーバ回路10は、制御を行う装置である。
　次に、本願明細書の段落００１１の記載を参照すると、本件補正発明における「センサシステム（１）」は、「制御装置（２）」（すなわち、制御を行う装置）及び「センサ（３）」から形成されていることが分かる。
　すると、引用発明１の「ドライバ及びレシーバ回路10」及び「サテライト回路20」（本件補正発明の「センサ（３）」に相当）は、センサシステムを形成しているということができる。
　したがって、引用発明１の「ドライバ及びレシーバ回路10」は、本件補正発明の（センサシステム（１）のための）「制御装置（２）」に相当する。
（ウ）引用発明１の「電流制限回路16」は、本件補正発明の「電流制限回路（１０）」に相当する。
（エ）一般に、「インターフェース」という語は多義的であるが、例えば、機器や装置が他の機器や装置などと交信し、制御を行う接続部分のことを意味する（新村　出，「広辞苑」，第六版，株式会社岩波書店，平成２０年１月１１日，第２２１ページ）。
　そこで、引用文献１の[0008]の記載を参照すると、配線接続30は、ドライバ及びレシーバ回路10とサテライト回路20とを接続するものであるから、これをインターフェースということができる。しかも、配線接続30は、そこに流れる電流によって信号を表すものである。
　してみると、引用発明１の（２つの線路を備える）「配線接続30」は、本件補正発明の（電流インターフェースとして少なくとも２つの線路（４ａ，４ｂ）を備える）「データ接続部（４）」に相当する。
（オ）本件補正発明において、「インターフェース電流（Ｉ）」とは、データ接続部（４）を流れる電流のことである。そして、その「インターフェース電流（Ｉ）」を「センサ（３）」が電流変調することで「信号（１４）」を形成する。
　一方、引用発明１の「電流Iout」は、「配線接続30」（本件補正発明の「データ接続部（４）」に相当）を介して流れる電流であり、それを「サテライト回路20」（本件補正発明の「センサ（３）」に相当）が変調することで信号を表している。
　してみると、引用発明１の「電流Iout」は、本件補正発明の「インターフェース電流（Ｉ）」に相当する。
　また、符号化された信号とはデジタル信号にほかならない。
　すると、引用発明１の（配線接続30を介して流れる電流Ioutが表すサテライト回路20によって低電流レベルI1又は高電流レベルI2となるよう変調され符号化された）「信号」は、本件補正発明の（インターフェース電流（Ｉ）の電流変調によって形成された、デジタルである）「信号（１４）」に相当する。
（カ）本件補正発明において、「接続装置（９）」は「制御装置（２）」が有するものであり、データ接続部（４）をセンサ（３）に接続し、また、信号（１４）を受信する。
　一方、引用発明１において、「出力端子101、102」及び「電流測定装置12」は、いずれも「ドライバ及びレシーバ回路10」（本件補正発明の「制御装置（２）」に相当）が有するものである。
　さらに、「出力端子101、102」は「配線接続30」（本件補正発明の「データ接続部（４）」に相当）を「サテライト回路20」（本件補正発明の「センサ（３）」に相当）に接続するものである。
　また、「電流測定装置12」は、電流Ioutを検出するものであるところ、この電流Ioutは「サテライト回路20によって変調され符号化された信号」を表しているのであるから、「電流測定装置12」は、サテライト回路20によって低電流レベルI1又は高電流レベルI2となるよう変調され符号化された「信号」（本件補正発明の「信号（１４）」に相当）を受信することになる。
　以上のことから、以下のａないしｃがいえる。
ａ　引用発明１の「出力端子101、102」及び「電流測定装置12」は、本件補正発明の「接続装置（９）」に相当する。
ｂ　引用発明１の「前記出力端子101、102は、２つの線路を備える配線接続30をサテライト回路20に接続し、」は、本件補正発明の「前記接続装置（９）は、電流インターフェースとして少なくとも２つの線路（４ａ，４ｂ）を備えるデータ接続部（４）を少なくとも１つのセンサ（３）に接続し、」に相当する。
ｃ　引用発明１の「電流測定装置12は、サテライト回路20によって低電流レベルI1又は高電流レベルI2となるよう変調され符号化された信号を表す、配線接続30を介して流れる電流Ioutを検出し、」は、本件補正発明の「前記接続装置（９）は、前記センサ（３）から前記データ接続部（４）を介して、インターフェース電流（Ｉ）の電流変調によって形成された信号（１４）を受信し、」に相当する。
（キ）引用文献１の[0010]の記載及びFIG 1を参照すると、「短絡」は、配線接続30間の短絡や、配線接続30と電源電位Vsの端子との短絡のことである。つまり、この「短絡」は、配線接続30が備える２つの線路のうち、少なくとも１つの線路での短絡であることが分かる。
　してみると、引用発明１の「配線接続30での短絡時」は、本件補正発明の「前記データ接続部（４）の少なくとも１つの線路（４ａ，４ｂ）での短絡時」に相当する。
　また、引用発明１の「電流Ioutを上限値I_limに制限し、」は、短絡時の電流を制限するということであるから、本件補正発明の「短絡電流（Ｉ＿２，Ｉ＿３）を制限し、」に相当する。
（ク）引用発明１の「上限値I_lim」と、本件補正発明の「上側の短絡電流値（Ｉ＿２）」とは、いずれも電流の上限である。
　よって、引用発明１の「上限値I_lim」は、本件補正発明の「上側の短絡電流値（Ｉ＿２）」に相当する。
（ケ）引用発明１の「低電流レベルI1」と、本件補正発明の「センサ定常時電流（Ｉ＿０）」とは、いずれも変調された電流の下限である。
　よって、引用発明１の「低電流レベルI1」は、本件補正発明の「センサ定常時電流（Ｉ＿０）」に相当する。
イ　以上の（ア）ないし（キ）から、本件補正発明と引用発明１との一致点及び相違点は、次のとおりである。
（一致点）
「　センサシステム（１）のための制御装置（２）において、
　前記制御装置（２）は少なくとも接続装置（９）および電流制限回路（１０）を有しており、
　前記接続装置（９）は、電流インターフェースとして少なくとも２つの線路（４ａ，４ｂ）を備えるデータ接続部（４）を少なくとも１つのセンサ（３）に接続し、
　前記接続装置（９）は、前記センサ（３）から前記データ接続部（４）を介して、インターフェース電流（Ｉ）の電流変調によって形成された信号（１４）を受信し、
　前記電流制限回路（１０）は、前記データ接続部（４）の少なくとも１つの線路（４ａ，４ｂ）での短絡時に、短絡電流（Ｉ＿２，Ｉ＿３）を制限し、
　前記信号（１４）はデジタルである、
ことを特徴とする制御装置。」
（相違点）
　本件補正発明の「電流制限回路（１０）」が、
短絡電流（Ｉ＿２，Ｉ＿３）を時間によって変化して制限し、短絡時にインターフェース電流（Ｉ）を、第１の期間（ｔ１−ｔ０）においては上側の短絡電流値（Ｉ＿２）に制限し、第１の期間（ｔ１−ｔ０）の後には下側の短絡電流値（Ｉ＿３）に制限し、下側の短絡電流値（Ｉ＿３）は、上側の短絡電流値（Ｉ＿２）より小さく、センサ定常時電流（Ｉ＿０）よりも大きく、第１の期間（ｔ１−ｔ０）は、前記信号（１４）の信号幅（Δｔ）の少なくとも１０倍である
のに対し、引用発明１の「電流制限回路16」は、そのように時間によって変化する制限を行わない点。
（４）判断
　以下、相違点について検討する。
ア　まず、引用発明１及び引用発明２−１について、後の検討に必要な整理をしておく。
（ア）引用発明１及び引用発明２−１は、いずれもエアバッグの制御に用いられる装置である点で共通する（引用文献１の[0006]の記載、及び、引用文献２の段落０００６の記載を参照）。
（イ）引用発明２−１の「中央装置１４」は、マイクロコンピュータ２８等を有して制御のために用いられるものである（引用文献２の段落０００７の記載を参照）。
　よって、引用発明２−１の「中央装置１４」と、引用発明１の「サテライト回路20」とは、いずれも制御装置である点で共通する。
（ウ）引用発明２−１の「サテライト装置１６」はＧセンサ６０を有している（引用文献２の段落００１１の記載を参照）。
　よって、引用発明２−１の「サテライト装置１６」と、引用発明１の「サテライト回路20」とは、いずれもセンサである点で共通する。
（エ）引用発明２−１の「電源線６２および接地線６４」と、引用発明１の「配線接続30」とは、いずれも制御装置とセンサとを接続する線路である点で共通する。
（オ）引用発明２−１の「定電流回路９６」と、引用発明１の「電流制限回路16」とは、いずれも短絡時に電流を制限するための回路である点で共通する。
（カ）引用発明２−１の「供給電流」と、引用発明１の「電流Iout」と、本件補正発明の「インターフェース電流（Ｉ）」とは、いずれも制御装置とセンサとを接続する線路を流れる電流である点で共通する。
　また、引用発明２−１の「供給電流」は、本件補正発明の「インターフェース電流（Ｉ）」に相当する。
（キ）引用発明１の「上限値I_lim」と、引用発明２−１の「最大電流」と、本件補正発明の「上側の短絡電流値（Ｉ＿２）」とは、いずれも電流の上限である。
　また、引用発明２−１の「最大電流」は、本件補正発明の「上側の短絡電流値（Ｉ＿２）」に相当する。
（ク）引用発明１の「低電流レベルI1」と、引用発明２−１の「作動電流」と、本件補正発明の「センサ定常時電流（Ｉ＿０）」とは、いずれも変調された電流の下限である。
　また、引用発明２−１の「作動電流」は、本件補正発明の「センサ定常時電流（Ｉ＿０）」に相当する。
（ケ）引用発明２−１の「制限電流」と、本件補正発明の「下側の短絡電流値（Ｉ＿３）」は、いずれも制限された電流であって上限よりも低いものである。
　よって、引用発明２−１の「制限電流」は、本件補正発明の「下側の短絡電流値（Ｉ＿３）」に相当する。
イ　引用発明１において、「第１の期間T1」は、「データブロック期間Td」よりも長い。「データブロック期間Td」とは、引用文献１の[0008]の記載を参照するに、「データブロック」（[0008]では「データパケット」）の個々の情報シンボルが連続する時間である。すると、「第１の期間T1」が、一つの情報シンボルすなわち「サテライト回路20によって変調され符号化された信号」の信号幅に、データブロックを構成する情報シンボルの数を乗じた期間よりも長いことは、当業者が容易に認識し得ることである。
　してみると、「第１の期間T1」は、データブロックを構成する「サテライト回路20によって変調され符号化された信号」の数に応じて当業者が適宜定め得る程度の設計的事項というべきであるから、これを信号の１０個分、すなわち、信号幅の少なくとも１０倍と定めることに格別の困難性は存しない。
ウ　上記アの（ア）ないし（オ）から分かるように、引用発明１及び引用発明２−１は、いずれもエアバッグの制御に用いられ、制御装置と、センサと、両者を接続する線路と、短絡時に電流を制限するための回路とを有する装置である。
　また、引用文献１の[0010]にも記載されているように、短絡時の過大電流から装置を保護することは、当業者にとって周知の課題である。
　さて、引用発明１において、「ドライバ及びレシーバ回路10」は、配線接続30を介して流れる電流Ioutが第1の期間T1より長い間、所定のしきい値より上にある場合に、エラーを示す。「エラー」が、配線接続30での短絡が確認されたことを意味することは明らかである。
　してみると、短絡時の過大電流から装置を保護する目的で、引用発明１に対して、電源回路の過熱を遅らせるために引用発明２−１を適用し、引用発明１において「ドライバ及びレシーバ回路10」がエラーを示した場合、すなわち、短絡が確認された場合に、「電流Iout」（引用発明２−１では「供給電流」）を、「上限値I_lim」（引用発明２−１では「最大電流」）より小さく、「低電流レベルI1」（引用発明２−１では「作動電流」）よりも大きい「制限電流」まで減少させるよう構成することに格別の困難性は存しない。
　すると、結果的に、引用発明１の「電流制限回路16」は、短絡電流を時間によって変化して制限することとなり、また、「第１の期間T1」は、本件補正発明の（短絡時にインターフェース電流（Ｉ）が上側の短絡電流値（Ｉ＿２）に制限される）「第１の期間（ｔ１−ｔ０）」に相当するものとなる。
　なお、引用発明１において、「第１の期間T1」には、「電流Iout」が「上限値I_lim」に達していない時間帯が含まれているが、このような時間帯においても「電流Iout」の取り得る上限が「上限値I_lim」であることに変わりないので、やはり「電流Iout」は「上限値I_lim」に制限されているといえる。
エ　上記アないしウを総合すると、引用発明１において、
「電流制限回路16」（本件補正発明の「電流制限回路（１０）」に相当）が、
短絡時の「電流Iout」、すなわち、短絡電流を時間によって変化して制限し、
短絡時に「電流Iout」（本件補正発明の「インターフェース電流（Ｉ）」に相当）を、「第１の期間T1」（本件補正発明の「第１の期間（ｔ１−ｔ０）」に相当）においては「上限値I_lim」（本件補正発明の「上側の短絡電流値（Ｉ＿２）」に相当）に制限し、「第１の期間T1」の後には「制限電流」（本件補正発明の「下側の短絡電流値（Ｉ＿３）」に相当）に制限し、
「制限電流」は、「上限値I_lim」より小さく、「低電流レベルI1」（本件補正発明の「センサ定常時電流（Ｉ＿０）」に相当）よりも大きく、
「第１の期間T1」を「信号」（本件補正発明の「信号（１４）」に相当）の信号幅の少なくとも１０倍とする、
ように構成することは、当業者が容易になし得たことである。
オ　そして、上記相違点を総合的に勘案しても、本件補正発明の奏する作用効果は、引用発明１及び引用発明２−１の奏する作用効果から予測される範囲内のものにすぎず、格別顕著なものということはできない。
カ　したがって、本件補正発明は、引用発明１及び引用発明２−１に基づいて、当業者が容易に発明をすることができたものであるから、特許法第２９条第２項の規定により、特許出願の際独立して特許を受けることができない。
３　補正却下の決定のむすび
　上記のとおり、本件補正発明は、特許出願の際に独立して特許を受けることができないものであるから、本件補正は、特許法第１７条の２第６項において準用する同法第１２６条第７項の規定に違反するものであり、同法第１５９条第１項において読み替えて準用する同法第５３条第１項の規定により却下されるべきものである。
　よって、上記補正却下の決定の結論のとおり決定する。
第３　本願発明について
１　本願発明
　平成２７年１月６日に提出された手続補正書による補正は、上記のとおり却下されたので、本願の請求項１ないし１１に係る発明は、平成２６年４月１０日に提出された手続補正書の特許請求の範囲の請求項１ないし１１に記載された事項により特定されるものであるところ、その請求項１に係る発明（以下、「本願発明」という。）は、その請求項１に記載された事項により特定される、上記第２の［理由］１（２）に記載のとおりのものである。
２　引用文献
　原査定の拒絶の理由で引用された引用文献１及び引用文献２、それらの記載事項、及び、引用発明１ないし引用発明２−２は、上記第２の［理由］２（２）に記載したとおりである。
３　対比・判断
　本願発明と引用発明とを対比する。
ア　本願発明は、上記第２の［理由］２で検討した本件補正発明における「少なくとも１０倍」を「数倍」としたものである。
　すると、本願発明と引用発明１とは、上記第２の［理由］２（３）イに挙げた、本件補正発明と引用発明１との一致点と同様の点で一致する一方、以下の点で相違する。
（本願発明と引用発明１との相違点）
　本願発明の「電流制限回路（１０）」が、
短絡電流（Ｉ＿２，Ｉ＿３）を時間によって変化して制限し、短絡時にインターフェース電流（Ｉ）を、第１の期間（ｔ１−ｔ０）においては上側の短絡電流値（Ｉ＿２）に制限し、第１の期間（ｔ１−ｔ０）の後には下側の短絡電流値（Ｉ＿３）に制限し、下側の短絡電流値（Ｉ＿３）は、上側の短絡電流値（Ｉ＿２）より小さく、センサ定常時電流（Ｉ＿０）よりも大きく、第１の期間（ｔ１−ｔ０）は、前記信号（１４）の信号幅（Δｔ）の数倍である
のに対し、引用発明１の「電流制限回路16」は、そのように時間によって変化する制限を行わない点。
イ　本願発明と引用発明１との相違点について検討する。
（ア）上記第２の［理由］２（４）アの（ア）ないし（ケ）において、引用発明２−１と本件補正発明とについて述べたことは、引用発明２−２と本願発明とについても同様に当てはまる。
（イ）引用発明２−２の「第１設定時間ｔ1」は、短絡時の「供給電流」（本願発明の「インターフェース電流（Ｉ）」に相当）を「最大電流」（本願発明の「上側の短絡電流値（Ｉ＿２）」に相当）に制限する時間であるから、本願発明の「第１の期間（ｔ１−ｔ０）」に相当する。
（ウ）引用発明２−２の「第１設定時間ｔ1」が、信号幅、すなわち、供給電流が増加している時間の何倍であるかは、具体的に明らかでない。
　もっとも、本願発明にもある「数倍」とは、必ずしも整数倍のみを指す概念ではなく、任意の正の実数倍をも包含するものと考えられる。
　してみると、引用発明２−２の「第１設定時間ｔ1」もまた、信号の信号幅の「数倍」であるといえる。
（エ）引用発明１及び引用発明２−２は、いずれもエアバッグの制御に用いられ、制御装置と、センサと、両者を接続する線路と、短絡時に電流を制限するための回路とを有する装置である。
　また、引用文献１の[0010]にも記載されているように、短絡時の過大電流から装置を保護することは周知の課題である。
　してみると、短絡時の過大電流から装置を保護する目的で、引用発明１に対して、電源回路の過熱を遅らせるために引用発明２−２を適用し、引用発明１において、
「電流制限回路16」（本願発明の「電流制限回路（１０）」に相当）が、
短絡時の「電流Iout」、すなわち、短絡電流を時間によって変化して制限し、
短絡時に「電流Iout」（本願発明の「インターフェース電流（Ｉ）」に相当）を、「第１設定時間ｔ1」（本願発明の「第１の期間（ｔ１−ｔ０）」に相当）においては「上限値I_lim」（本願発明の「上側の短絡電流値（Ｉ＿２）」に相当）に制限し、「第１設定時間ｔ1」の後には「制限電流」（本願発明の「下側の短絡電流値（Ｉ＿３）」に相当）に制限し、
「制限電流」は、「上限値I_lim」より小さく、「低電流レベルI1」（本願発明の「センサ定常時電流（Ｉ＿０）」に相当）よりも大きく、
「第１設定時間ｔ1」を「信号」（本願発明の「信号（１４）」に相当）の信号幅の数倍とする、
ように構成することは、当業者が容易になし得たことである。
（オ）そして、上記本願発明と引用発明１との相違点を総合的に勘案しても、本願発明の奏する作用効果は、引用発明１及び引用発明２−２の奏する作用効果から予測される範囲内のものにすぎず、格別顕著なものということはできない。
（カ）したがって、本願発明は、引用発明１及び引用発明２−２に基づいて、当業者が容易に発明をすることができたものである。
第４　むすび
　以上のとおりであるから、本願発明は、特許法第２９条第２項の規定により特許を受けることができない。
　したがって、その余の請求項に係る発明について検討するまでもなく、本願は拒絶されるべきものである。
　よって、結論のとおり審決する。